(57)【要約】      （修正有）【課題】再生のための操作の時点より遡った時点からのデータの再生が可能であって、その遡った時点からのデータの再生の範囲（時間）が比較的大きく、しかも、装置そのものの構成が大掛かりにならず、又、コスト高になることのない記録・再生装置を提供する。【解決手段】マイクロフォン２からの音声を示す信号をＤＳＰ５が連続的に記録媒体７に記録し、操作者が再生を所望する時点を操作・表示手段１１から入力すると、再生時に制御手段６は前記再生を所望する時点に対し、操作・表示手段で設定した遡り分の時間だけ遡った時点から再生が開始される。【選択図】図１
2006294109.tif 000002
【特許請求の範囲】
【請求項１】
記録媒体と、その記録媒体に、入力されるデータを記録する記録手段と、前記記録媒体に記録されたデータを再生する再生手段と、作動の開始時から、入力されて来るデータを前記記録媒体に記録するように前記記録手段を制御し、且つ、操作者が前記記録手段に入力されるデータのうち再生したいと所望して当該データの記録の開始の時点にマークを付した場合に、再生する際は前記マークの時点から設定した時間だけ遡った時点から再生を開始するように前記再生手段の出力を制御を行う制御手段を備えてなる記録・再生装置。
【請求項２】
入力されるデータに無音声の状態があった際には、その無音声の状態に対して記録手段が記録の機能を停止するように構成された請求項１に記載の記録・再生装置。
【請求項３】
記録手段に入力されるデータのうち再生したいと所望して当該データの記録の開始の時点にマークを付した際、そのマークを付した時点からの経過時間を表示するように構成された請求項１に記載の記録・再生装置。
【発明の詳細な説明】
【技術分野】
【０００１】
この発明は記録媒体にデータを記録し、且つ、その記録したデータを再生する記録・再生装置に関する。
特に、連続的に流れているデータに対して記録すべく待機している際に、記録開始時よりも時間的に遡ってデータを記録することが可能な記録・再生装置に関する。
【背景技術】
【０００２】
流れているデータに対して所望の時点から記録を行うように待機をしている際、記録を行うとしている者にとって所望のデータが流れて来て、その所望のデータの記録を開始する場合には、その者がその所望のデータに気付いて録音することを認識する時点と録音操作が為されて実際にデータの記録が開始される間には、所謂タイムラグが生ずる。
従って、その生じたタイムラグの間のデータは記録することができず、録音操作が為された時点からのデータの記録ということで記録されているデータは頭部分が欠けたものになっていて、よって、その欠けた部分のデータを再生することはできないという問題が生じる。
【０００３】
そこで、上記欠けた部分のデータの再生が不可能であるという問題を解決するものとして、下記の文献で示された発明が知られている。
【０００４】
【特許文献１】特許公開平７−１５３１８７
【特許文献２】特許公開平９−１４６５９０
【発明の開示】
【発明が解決しようとする課題】
【０００５】
記録・再生装置を用いてデータの記録を行う場合は、操作者は通常、前記記録・再生装置を記録待機の状態にし、流れて来るデータに対して所望のデータ、例えば録音したいと思う音楽データが流れて来た時点で、記録開始の操作を行う。
この記録開始の操作において、記録開始に操作遅れが生じたり、記録開始操作を忘ることがある。
【０００６】
上記の公報には、この問題を解決するために、録音開始の操作遅れや記録開始の操作忘れなどによって記録できなかった分のデータを補うように、記録開始の操作を行う前に既に予め遡った時点から一定時間分だけ補助の記録媒体であるＲＡＭ或いはＳＲＡＭにデータ記録を行い、記録開始の操作があった際には主の記録媒体にデータ記録を行い、再生の際に、ＲＡＭ或いはＳＲＡＭからのデータの再生と主の記録媒体からのデータの再生を繋げて行うという構成が開示されている。
【０００７】
斯かる構成の記録・再生装置では、録音開始の操作遅れや記録開始の操作忘れ等に対して、予め遡った時点から記録したデータを再生することで問題は解決され、記録操作の開始の前のデータを再生することが可能になっている。
しかしながら、録音開始の操作遅れや記録開始の操作忘れ等に対して行われる予め遡った時点からのデータの記録はＲＡＭ或いはＳＲＡＭに行われるので、その記録が可能な一定時間分は極く短い時間にのみ有効であって、長い時間のデータの記録は不可能であるという問題があった。
【０００８】
斯かる問題に対し、予め遡った時点からのデータを記録するものとして、ＲＡＭ或いはＳＲＡＭに代えて、記録容量の大きな記録媒体を備えた構成の記録・再生装置が考えられる。
しかし、斯かる構成では、構成そのものが大掛かりになり、又、容量の大きな補助の記録媒体を備えると、装置そのものがコスト高になるという問題も生じる。
【０００９】
この発明は上述した事情に鑑みて為されたものであり、録音開始の操作遅れや記録開始の操作忘れ等があっても遡った時点からのデータの再生が可能であって、その遡った時点からのデータの再生の範囲（時間）が比較的大きく、しかも、装置そのものの構成が大掛かりにならず、又、コスト高になることのない記録・再生装置を提供するものである。
【課題を解決するための手段】
【００１０】
この発明は、装置の作動と共にデータの記録媒体への記録を開始させ、データの再生を所望した時点にマークを付すと、再生時にはそのマークを付した時点に対して設定した長さの時点だけ遡った時点から再生が開始されるように構成した構成の記録・再生装置である。
【００１１】
その詳細な構成は、記録媒体と、その記録媒体に、入力されるデータを記録する記録手段と、前記記録媒体に記録されたデータを再生する再生手段と、作動の開始時から、入力されて来るデータを前記記録媒体に記録するように前記記録手段を制御し、且つ、操作者が前記記録手段に入力されるデータのうち再生したいと所望して当該データの記録の開始の時点にマークを付した場合に、再生する際は前記マークの時点から設定した時間だけ遡った時点から再生を開始するように前記再生手段の出力を制御を行う制御手段を備えてなる記録・再生装置である。
【００１２】
斯かる構成の記録・再生装置では、再生用のマークを付した時点より設定した時間だけ遡った時点から再生を開始するので、再生を所望した時点と操作を行った時点とのタイムラグによって再生されない部分が生じるということはない。
又、斯かる構成の記録・再生装置は、唯一つの記録媒体が備えられているだけなので、複数の記録媒体を備えてなる場合に比して、構成及び製造が簡便であって、コストも廉価に押えることが可能になっている。
【００１３】
斯かる構成の記録・再生装置においては、入力されるデータに無音声の状態があった際には、その無音声の状態に対して記録手段が記録の機能を停止するように構成されたものが挙げられる。
従って、この発明の記録・再生装置は、無音声の状態を記録しない分だけより長い時間の音声データの記録が可能になっている。
【００１４】
斯かる構成の記録・再生装置では、記録手段に入力されるデータのうち再生したいと所望して当該データの記録の開始の時点にマークを付した際、そのマークを付した時点からの経過時間を表示するように構成することができる。
記録開始の時点を示すために複数個のマークを付すことが可能な構成も挙げられる。
【００１５】
記録媒体は具体的に、半導体メモリ、ディスク形状の光学式記録媒体、磁気式記録媒体等が挙げられる。
【発明の効果】
【００１６】
この発明は、唯一つの記録媒体に記録を行い、データの再生を所望した時点にマークを付すと再生時にはそのマークを付した時点に対して設定した長さの時点だけ遡った時点から再生が開始されるように構成したことから、再生を所望した時点からそのための操作を行う時点までにタイムラグが生じるが、その操作の時点よりも更に遡った時点から再生を開始できるので再生を所望した時点からのデータの再生を得ることができ、且つ、遡りの再生のための記録媒体を必要としないことから、構成が簡単で製造が簡便であり、コストを抑えることが可能な記録・再生装置である。
【発明を実施するための最良の形態】
【００１７】
この発明を、図面に示す最良の形態に説明する。しかし、この形態によって、この発明が限定されるものではない。
記録・再生装置１は、マイクロフォン２と、アンプ３と、Ａ／Ｄ変換器４と、デジタル信号プロセッサ（以下、ＤＳＰと呼ぶ。）５と、制御手段６と、記録媒体７と、Ｄ／Ａ変換器８と、アンプ９と、スピーカ１０と、操作・表示手段１１が備えられている。
【００１８】
マイクロフォン２は、記録対象データの音声を入力してアナログ信号に変換するものである。
アンプ３は、マイクロフォン２の後段に接続され、マイクロフォン２からの音声データを示すアナログ信号のボリュームを所望の大きさに加工するものである。
Ａ／Ｄ変換器４は、アンプ３の後段に接続され、所望の大きさに加工されたアナログ信号を入力しデジタル信号に変換して出力するものである。
【００１９】
ＤＳＰ５は、制御手段６からの制御信号に基づいて、Ａ／Ｄ変換器４からのデジタル信号を受取った際に記録手段として機能してそのデジタル信号を記録媒体７に記録し、同様に、制御手段６からの制御信号に基づいて、再生手段として機能して記録媒体７に記録されているデジタル信号を再生してＤ／Ａ変換器８に送るものである。
尚、Ａ／Ｄ変換器４及びＤ／Ａ変換器８とＤＳＰ５の間にデジタルのデータ信号を送るためのバス１２が、ＤＳＰ５と制御手段６の間にデジタルのデータ信号を送るためのバス１３が、ＤＳＰ５と記録媒体７の間にデジタルのデータ信号を送るためのバス１４がそれぞれ介在されている。
【００２０】
記録媒体７は、具体的に、半導体メモリであって、マイクロフォン２でピックアップされる音声を、デジタル信号として記録するものである。
Ｄ／Ａ変換器８は、記録媒体ＤＳＰ５を介して入力される記録媒体７からのデジタル信号をアナログ信号に変換するものである。
記録媒体７は、蓋体１５を開状態にして装置本体ケーシング１６の内部に収納される構成になっている。
【００２１】
アンプ９は、Ｄ／Ａ変換器８の後段に接続され、Ｄ／Ａ変換器８からの音声データを示すアナログ信号のボリュームを所望の大きさに加工するものである。
スピーカ１０は、アンプ９の後段に接続され、所望の大きさに加工されたアナログ信号を入力し音声に変換して出力するものである。
【００２２】
操作・表示手段１１は、装置本体ケーシング１６の前面及び天面に配設され、装置の操作及びその時点での機能状態を表示するものである。
【００２３】
記録・再生装置１は、更に、マイクロフォン２でピックアップされ、前記記録手段であるＤＳＰ５に入力されるデータのうちで、操作者がこの時点から再生したいと所望して当該データの記録の開始の時点にマークを付した場合に、再生する際はそのマークした時点から設定した時間だけ遡った時点から再生を開始する遡り再生の手段が備えられている。
【００２４】
この遡り再生の手段は、制御手段６と操作・表示手段１１から主に構成されている。つまり、具体的には、聞こえて来る音声に対して操作者がこの時点における音声から再生したいと所望した際に、その時点にマークを付すための操作・表示手段１１のＲＥＣレバー１７と、制御手段６ではＲＥＣレバー１７の操作によってマークを付すための命令信号が入力信号が入力されると、記録媒体７において記録されたデータに対するその時点の時間的な位置を記憶するメモリ（図示省略）と、操作者が再生を所望した時点とＲＥＣレバー１７の間にタイムラグが生じるのでそのタイムラグの時間を遡った時点から再生するように遡りの時間を設定する操作・表示手段１１に備えた遡り時間設定釦１８及びその設定された時間を記憶する前記メモリから主に構成されている。
【００２５】
尚、上記遡り再生の手段を機能される、つまり、ＲＥＣレバー１７を操作すると、遡り再生の手段が機能されていることが、その旨が操作・表示手段１１の表示パネル１９に表示される構成になっている。
具体的には、操作者がこの時点から再生を開始したいと所望してＲＥＣレバー１７を操作すると、表示パネル１９に旗のマークが表示される。
更に、操作者が他の時点から再生を開始したいと所望してＲＥＣレバー１７を操作すると、表示パネル１９に２番目の旗のマークが表示される。
【００２６】
記録・再生装置１は、上述したように構成されている。以下において、記録・再生装置１の作用を説明する。
操作者は、予め、装置本体ケーシング１６の蓋体１５を開状態にして記録媒体７を所定状態で収納させ、蓋体１５を閉じる。
続いて、操作・表示手段１１を操作してメイン電源をＯＮにする。
【００２７】
操作者は、記録・再生装置１に操作・表示手段１１から遡り再生可能モードの録音を選択して、記録・再生装置１に音声録音である記録を開始させるスタート釦２０を押圧操作する。
ここで、記録・再生装置１は、マイクロフォン２が入力されて来る音声をピックアップし、アナログ信号に変換してアンプ３に送る。
アンプ３は、マイクロフォン２からのアナログ信号を受取ると、そのボリュームを所望の大きさに加工してＡ／Ｄ変換器４に送る。
【００２８】
Ａ／Ｄ変換器４は、アンプ３からの所望の大きさに加工されたアナログ信号を入力すると、デジタル信号に変換してバス１２に出力する。
ＤＳＰ５は、制御手段６からの制御信号に基づいて記録手段として機能し、バス１２を介したＡ／Ｄ変換器４からのデジタル信号を受取ると、バス１４を介してそのデジタル信号を記録媒体７に記録する。
この時、記録媒体７は、ＤＳＰ５からのデジタル信号を入力されて来る時間の順序で全て記録する。
【００２９】
記録する対象、つまり、録音すべき対象の音声が流れている際に、操作者がこの時点から再生をしたいと所望する音声に出逢うと、ＲＥＣレバー１７を操作する。
ここで、記録・再生装置１は、上述した遡り再生の手段、つまり、マイクロフォン２でピックアップされてＤＳＰ５に入力されるデータのうちで、操作者が特定の時点から再生したいと所望した場合に、再生する際にはそのマークした時点から設定した時間だけ遡った時点から再生を開始するという機能がスタートする。
【００３０】
ＲＥＣレバー１７の操作によって、操作・表示手段１１から制御手段６に再生を所望する時点のマークを付すための命令信号が出力されると、制御手段６はその命令信号を受取った旨の信号を操作・表示手段１１に送り返す。
操作・表示手段１１は、制御手段６からの命令信号受取りの確認信号を受取ると、この確認信号に基づいて、表示パネル１９に所望した時点で再生される命令が受け付けられたことを示すための旗のマークが表示される。
【００３１】
操作者が記録・再生装置１の記録機能を終了させた後、前記の所望した時点からの再生を行う際には、ＲＥＣレバー１７を操作した時点からどれだけの長さの時間だけ遡った時点から再生したいかを設定する。
つまり、具体的には、ＲＥＣレバー１７の操作した時点に対して、一度の押圧操作で２秒ずつ遡った時点から再生する遡り時間設定釦１８を所望の遡り時間に合わせて押圧操作する。
【００３２】
ここで、所望の遡り時間とは、この時点から記録媒体に記録されたデータを再生したいと所望した時点から実際にＲＥＣレバー１７の操作までの時間は、操作者の判断の速さ、操作者の操作の俊敏さ等によって大きく異なることから、操作者つまり再生を望む者が上記マークを付した時点のデータに対して所望する分だけ遡って再生することを可能にするために任意に設定が可能な構成になっていることを意味している。
【００３３】
操作者は、余裕を見て、遡り時間設定釦１８を３回の操作を行う。この操作によって、操作・表示手段１１から、制御手段６に遡り時間設定釦１８が３回だけ操作されたことを示す命令信号が出力される。
ここで、制御手段６は、操作・表示手段１１からこの信号を受取ると、上記でマークを付した時点に対して２秒×３回の６秒だけ遡った時点から再生を開始することを演算し、ＤＳＰ５にその演算結果に対応する時点からのデータの再生を行うように命令信号を出力する。
【００３４】
尚、遡り時間設定釦１８による再生開始の時点の設定は、記録・再生装置１の記録の開始の前でもよく、再生の直前であってもよい。
又、記録媒体７の容量が大きく、遡りの時間が長かったり厳密で或る場合には、上記構成の遡り時間設定釦１８に代えて、テンキー入力の時間設定の構成であってもよい。
【００３５】
ＤＳＰ５は、制御手段６からの制御信号に基づいて、記録媒体７から上記の演算結果に対応する遡り時点からのデータを再生し読み出して、バス１２を介してＤ／Ａ変換器８に送る。
Ｄ／Ａ変換器８は、ＤＳＰ５からの遡り再生のデータであるデジタル信号を受取ると、アナログ信号に変換してアンプ９に送る。
アンプ９は、Ｄ／Ａ変換器８からのアナログ信号を受取ると、そのボリュームを所望の大きさにしてスピーカ１０に送る。
スピーカ１０は、アンプ９からの音声に係るアナログ信号を受取ると、音声として出力する。
【００３６】
ここで、操作者はマイクロフォン２でピックアップされた音声の再生音声を得る。が、この音声は、操作者が再生したい時点と所望し、ＲＥＣレバー１４を操作した時点から６秒間だけ遡った時点をスタート時点としたものである。
従って、操作者が再生したい時点と実際にＲＥＣレバー１４の操作にタイムラグがあっても、ＲＥＣレバー１４の操作の時点に対して６秒間だけ遡った時点から再生がスタートするとにるので、再生の先頭部分が欠けて再生されないという問題は生じない。
【００３７】
又、記録・再生装置１では、遡った時点からのデータの記録を記録媒体７に行い、遡った時点からのデータを記録するために、記録媒体７に加えてＲＡＭやＳＲＡＭを備えるという構成になっていないので、装置そのもの構成がよりシンプルであり製造も簡便になっており、製造コストを低く押えることが可能になっている。
【００３８】
更に、記録・再生装置再生１は、遡り再生可能モードの録音を選択して作動させると、再生したいと所望してマークを付した時点から任意の時間だけ遡った時点からの再生が可能でに行われるので、遡り再生のための記録媒体がＲＡＭやＳＲＡＭである場合に比して記録容量、つまり、遡って再生が可能な範囲は記録媒体７そのものの容量に基づく値になって、最大の遡り再生が可能になっている。
【００３９】
尚、記録・再生装置１は、遡り再生可能モードの録音を選択しない場合にはノーマル録音が自動的に行われる。
又、記録・再生装置１は、上述した手段に加えて第２の記録媒体の記録・再生手段を備えらることによって、操作者が所望した時点からの遡り再生を行う際に、その時点から上記第２の記録媒体にデータを書込み可能にすることによって、データの編集を可能な構成であってもよい。
【００４０】
記録・再生装置１は、入力されるデータに無音声の状態があった際には、その無音声の状態に対して記録手段であるＤＳＰ５が無音声に対応するデータ信号を記録媒体７に記録することを停止する機能を付加した構成であってもよい。
斯かる構成により、記録・再生装置１は、記録媒体７の記録容量を無音声分だけ多く記録することが可能になっている。
そして、記録・再生装置１を斯かる構成で遡り再生可能モードの録音を選択して作動させる場合には、再生を所望する時点のマークは制御手段６の前記メモリに記憶されるので、無声音の記録の有無に拘わらず、そのマークを付した時点から設定した時間分だけ遡った時点をスタート時点として再生が開始される。
【００４１】
又、記録・再生手段１は、遡り再生可能モードの録音を選択して作動させる場合に、再生の時点を所望してデータの記録の開始の時点にマークを付した際、そのマークを付した時点からの経過時間を表示する機能を備えた構成であってもよい。
この場合、経過時間は具体的に、表示パネル１９に表示される構成が挙げられる。
そして、斯かる構成よって、操作者は、再生を所望した時点からの記録の経過時間を表示パネル１９から読み取ることによって、記録されたデータの編集に役立てることが可能になっている。
【００４２】
記録・再生手段１では、記録媒体７が半導体メモリであることにより、記録手段及び再生手段がＤＳＰ５である。
他方、記録媒体として他の種類のもの、例えばディスク形状の光学式記録媒体、磁気式記録媒体も挙げられ、その選択した記録媒体に対応して記録手段及び再生手段を使用することになる。
【００４３】
記録・再生装置１では記録の対象を音声にしているが、記録の対象は、映像であってもよく、音声と映像が一緒のものであってもよい。
【図面の簡単な説明】
【００４４】
【図１】この発明の最良の実施の一形態の構成を説明するブロック図である。
【図２】図１に示す形態の外観を示す斜視図である。
【符号の説明】
【００４５】
１      ：記録・再生装置
５      ：デジタル信号プロセッサ（記録手段で且つ再生手段）
６      ：制御手段
７      ：記録媒体
１１    ：操作・表示手段
１７    ：ＲＥＣレバー
１８    ：遡り時間設定釦
【図１】
2006294109.tif 000003
【図２】
2006294109.tif 000004